(57)【特許請求の範囲】
【請求項１】
有機性排水を活性汚泥法を用いて処理する方法において、蟻酸ナトリウム、蟻酸カリウム、酢酸ナトリウム、酢酸カリウムから選ばれる少なくとも一種の有機酸金属塩およびタンニン、ルチン、ケルセチンから選ばれる少なくとも一種のポリフェノール類を含み、有機酸金属塩とポリフェノール類との質量比（有機酸金属塩／ポリフェノール類）が７０／３０〜３０／７０である化合物のばっ気槽における濃度を１ｐｐｂ〜１ｐｐｍとなるように保持することを特徴とする有機性排水の処理方法。
【発明の詳細な説明】
【０００１】
【発明の属する技術分野】
本発明は、生活系排水、畜産排水、水産加工排水又は各種産業排水などの有機性排水の処理方法に関するものであり、さらに詳しくは、余剰汚泥の発生量を抑制し、併せて放流水の水質を良好に保つことができる有機性排水の処理方法に関するものである。
【０００２】
【従来の技術】
従来、有機性排水の生物化学的処理方法として図１に示されるような活性汚泥法が採用されている。しかし、本処理方法では多量の余剰汚泥が発生する。この余剰汚泥は悪臭を放ち、また含水率が高く脱水性が悪いこと等から非常に取り扱いにくく、有機性排水を活性汚泥法によって生物化学的処理する場合には常に余剰汚泥の処理が問題となっていた。
【０００３】
これに対し、一般的に行われている余剰汚泥の処理方法には、余剰汚泥を脱水して、脱水後の固形分を焼却するかあるいは産業廃棄物として埋立て処分等する方法が挙げられる。
【０００４】
しかし、かかる方法では、余剰汚泥量が多いために処理コストが著しく嵩むという問題がある。余剰汚泥の処分費は２〜３万円／ｍ3と高く、さらにこの処分費は今後一層高騰する傾向にあり、埋立処分場の確保難という問題がある。また、余剰汚泥の焼却は焼却炉の温度を低下させダイオキシン発生の原因となることも危惧されている。
【０００５】
以上のような問題点を解決する余剰汚泥の減量化を目的とした方法として、余剰汚泥の一部をオゾンや過酸化水素などの薬剤によって可溶化し、この可溶化した汚泥をばっ気槽に導入して好気性処理を行う方法等が知られている（特開平７−８８４９５号公報、特許第３１６７０２１号公報）。
【０００６】
しかし、かかる方法は、余剰汚泥の一部をかなり減少させることができるが、新たに装置を設ける必要があるため、設備費や運転費が嵩み処理コストが上昇し経済性に劣り、さらに、可溶化した汚泥を再度ばっ気槽に導入することから処理水質が悪化するという問題がある。
【０００７】
【発明が解決しようとする課題】
本発明は、以上のような問題点に鑑みなされたものであり、その目的は、余剰汚泥の発生量を抑制し、併せて放流水の水質を良好に保つことができる有機性排水の処理方法を提供することである。
【０００８】
【課題を解決するための手段】
本発明者らは、活性汚泥中の細菌及び菌類に対して生育阻害作用を有する化合物である有機酸金属塩およびポリフェノール類から選ばれる少なくとも一種を含む化合物のばっ気槽における濃度を特定範囲に制御することにより余剰汚泥の発生量を抑制し、併せて放流水の水質を良好に保つことができることを見出し、本発明を完成するに至った。
【０００９】
即ち、本発明の有機性排水の処理方法は、有機性排水を活性汚泥法を用いて処理する方法において、蟻酸ナトリウム、蟻酸カリウム、酢酸ナトリウム、酢酸カリウムから選ばれる少なくとも一種の有機酸金属塩およびタンニン、ルチン、ケルセチンから選ばれる少なくとも一種のポリフェノール類を含み、有機酸金属塩とポリフェノール類との質量比（有機酸金属塩／ポリフェノール類）が７０／３０〜３０／７０である化合物のばっ気槽における濃度を１ｐｐｂ〜１ｐｐｍとなるように保持することを特徴とする。
【００１１】
【発明の実施の形態】
本発明においては、工程中に投入され活性汚泥中の細菌及び菌類に対して生育阻害作用を有する化合物として、有機酸金属塩およびポリフェノール類から選ばれる少なくとも一種の化合物が用いられる。
【００１２】
有機酸金属塩としては、蟻酸ナトリウム、蟻酸カリウム、蟻酸マグネシウム、蟻酸カルシウム、酢酸ナトリウム、酢酸カリウム、酢酸マグネシウム、酢酸カルシウム、プロピオン酸ナトリウム、プロピオン酸カリウム、プロピオン酸マグネシウム、プロピオン酸カルシウム、酪酸ナトリウム、酪酸カリウム、酪酸マグネシウム、酪酸カルシウムなどが挙げられ特に限定されないが、なかでも蟻酸ナトリウム、蟻酸カリウム、酢酸ナトリウム、酢酸カリウムが好ましいものとして挙げられる。
【００１３】
ポリフェノール類としては、タンニン、ルチン、ケルセチン、アントシアニン、クロロゲン酸などが挙げられ特に限定されないが、なかでもタンニン、ルチン、ケルセチンが好ましいものとして挙げられる。
【００１４】
前記化合物のばっ気槽における濃度は、１ｐｐｂ〜１ｐｐｍ、好ましくは１０ｐｐｂ〜１００ｐｐｂに保持される。ばっ気槽における前記化合物の濃度が１ｐｐｂより低いと余剰汚泥の発生量抑制効果は殆どなく、また１ｐｐｍより高くなると活性汚泥に対する殺菌剤となり、放流水の水質を悪化させる恐れがあるため好ましくない。
【００１５】
前記化合物は有機酸金属塩およびポリフェノール類をそれぞれ単独で使用した場合でも余剰汚泥の発生量抑制効果はあるが、両者を特定の割合で配合して用いることによりその効果が著しく向上する。有機酸金属塩とポリフェノール類との質量比（有機酸金属塩／ポリフェノール類）は７０／３０〜３０／７０の範囲で配合することが好ましい。この範囲以外では、余剰汚泥の発生抑制効果に関する両者の相乗効果が小さくなる傾向がある。
【００１６】
前記化合物のばっ気槽における濃度を保持する方法は特に限定されないが、汚泥はばっ気槽において増殖し、前記化合物はこの過程においてより効果的に作用することから、工程中の流量調整槽及びばっ気槽の少なくとも一方に添加することによりばっ気槽における前記濃度を保持することが好ましい。
【００１７】
流量調整槽に添加する場合には、流量調整槽は流入排水を一定の割合でばっ気槽へ移送するために一時的に滞留する機能を有するので、流入排水量を流量計から読み取りその流量によって前記化合物を添加すればよい。
【００１８】
また、ばっ気槽に添加する場合には、まず最初に、前記化合物がばっ気槽において所定の濃度となるための必要量をばっ気槽の容量から換算して添加し、その後は、ばっ気槽から流出する排水中に含まれる前記化合物の減少分を補うことでばっ気槽中の濃度が一定に保たれるので、ばっ気槽から沈殿槽へ排出する流出排水量を測定し、その流量からばっ気槽中の前記化合物の減少量を換算して添加すればよい。
【００１９】
本発明の詳細な作用機構は明らかでないが、有機酸金属塩、ポリフェノール類等の化合物は、活性汚泥中の細菌及び菌類に対しストレスとして作用すると考えられる。このストレスに対抗し自らの細胞を維持するために活性汚泥中の細菌及び菌類は通常より多量のエネルギーを消費し、細胞合成に利用されるエネルギーが少なくなり、その結果、水質が従来と同等であるにもかかわらず余剰汚泥の発生量が抑制されるものと考えられる。
【００２０】
【実施例】
以下、本発明の実施例を説明するが、本発明はこれらの実施例に限定されるものではない。
【００２１】
（実施例１〜１５、比較例１〜３（実施例１〜５，１２，１５は参考比較例））
２００ｍｌの三角フラスコに、肉エキスとポリペプトンからなる有機性排水（ＢＯＤ１６０００ｐｐｍ）２．５ｍｌ、活性汚泥（７５００ｐｐｍ）４０ｍｌを加え、表１に示す化合物を、表１に示す濃度になるように添加した。つぎに全量が１００ｍｌ（初期ＢＯＤ４００ｐｐｍ、初期ＭＬＳＳ３０００ｐｐｍ）となるように水道水でメスアップし、これを用いて２０℃、１３０ｒｐｍの条件下で５時間回転振とう培養を行い、培養前後の汚泥重量の測定を行った。処理した排水は全量確保し、水質試験に用いた。
【００２２】
表１に、ＭＬＳＳ増加率と排水のＢＯＤを示した。ここで、ＭＬＳＳ増加率とは、化合物を添加していない場合（比較例３）の汚泥重量増加分を１００％とし、化合物を添加した場合の汚泥重量増加分を相対的に表したものである。したがって、この値が小さいほど余剰汚泥の発生量抑制効果が高いことを示す。
【００２３】
また、酢酸ナトリウムとタンニンの質量比を５０／５０に固定した場合の添加濃度とＭＬＳＳ増加率の関係を図２に示し、酢酸ナトリウムとタンニンの濃度を１００ｐｐｂに固定した場合のそれぞれの質量比とＭＬＳＳ増加率の関係を図３に示した。
【００２４】
【表１】
0004927270.tif 000002
【００２５】
表１より、有機酸金属塩およびポリフェノール類を単独で使用した場合（実施例１〜５（参考比較例））は、ＭＬＳＳ増加率が７９〜９１％となり、それらを添加しない場合（比較例３）に比べて余剰汚泥の発生量が抑制される効果が確認された。また、その時の排水のＢＯＤも７．６〜８．５と良好であった。
【００２６】
また、有機酸金属塩とポリフェノール類を混合して用いた場合（実施例６〜１５（実施例１２，１５は参考比較例））は、ＭＬＳＳ増加率が４７〜８８％と余剰汚泥の発生量が減少し、余剰汚泥量抑制に関する有機酸金属塩とポリフェノール類の相乗効果が確認された。また、排水のＢＯＤも６．１〜８．２ｐｐｍと良好であった。
【００２７】
図２より酢酸ナトリウムとタンニンを各々等量ずつ０．５ｐｐｂ〜２５０ｐｐｂ混合して添加した場合（実施例６、１０、１１）は余剰汚泥の発生量が抑制傾向にあるのに対して、１ｐｐｍを超えて各々５ｐｐｍ添加した場合（比較例１）および１ｐｐｂ未満の各々０．１ｐｐｂ添加した場合（比較例２）は余剰汚泥の発生量抑制効果は確認されなかった。加えて、各々５ｐｐｍ添加した場合（比較例１）は放流水ＢＯＤが悪化した。
【００２８】
また、図３より酢酸ナトリウムとタンニンを混合して添加した場合（実施例６、１２〜１５（実施例１２，１５は参考比較例））の余剰汚泥の発生量抑制効果は、それらを単独で使用した場合（実施例１、４（参考比較例））と比べても上昇し、その効果は酢酸ナトリウムとタンニンの質量比（酢酸ナトリウム／タンニン）が７０／３０〜３０／７０の範囲において顕著であった。また、その時の放流水ＢＯＤも良好であった。
【００２９】
【発明の効果】
本発明の有機性排水の処理方法によれば、従来と同等の処理水質を維持しながら、余剰汚泥の発生量を従来よりも大幅に減少させることができる。その結果、余剰汚泥処分地の確保難や処分にかかる費用を軽減し、また処分汚泥の投棄による環境の悪化を防止することができる。さらに、他の方法と比べても大規模な装置や設備を必要とせず、低コストで済む。
【図面の簡単な説明】
【図１】一般的な有機性排水の処理フローチャートを示したものである。
【図２】酢酸ナトリウムとタンニンの質量比を５０／５０に固定し、それらの添加濃度とＭＬＳＳ増加率の関係を示したグラフである。
【図３】酢酸ナトリウムとタンニンの添加濃度を１００ｐｐｂに固定し、それらの質量比とＭＬＳＳ増加率の関係を示したグラフである。
【図１】
0004927270.tif 000003
【図２】
0004927270.tif 000004
【図３】
0004927270.tif 000005